(57)【要約】【課題】携帯電子機器を構成する筐体のデザインのイメージに合った画像のデザインを表示部の画面に表示させること。【解決手段】携帯電子機器１は、処理部１２と、記憶部１３と、表示部１７とを備える。記憶部１３には、自装置の製造ＩＤと、それぞれ画像情報を有する複数のデザイン情報と、複数のＩＤ情報とが保存されるとともに、複数のＩＤ情報と複数のデザイン情報とがそれぞれ対応付けられている。処理部１２は、製造ＩＤを取得して、取得した製造ＩＤの少なくとも一部に対応するＩＤ情報を複数のＩＤ情報から検索し、検索されたＩＤ情報に対応するデザイン情報に基づいた画像を、表示部１７に表示する所定の画像として設定する。【選択図】        図４
2010087605.tif 000002
【特許請求の範囲】
【請求項１】
画像を表示する表示部を有する携帯電子機器であって、
自装置の製造ＩＤと、それぞれ画像情報を有する複数のデザイン情報と、複数のＩＤ情報とが保存されるとともに、前記複数のＩＤ情報と前記複数のデザイン情報とがそれぞれ対応付けられている記憶部と、
前記製造ＩＤを取得して、当該製造ＩＤの少なくとも一部に対応するＩＤ情報を前記複数のＩＤ情報から検索し、検索されたＩＤ情報に対応するデザイン情報に基づいた画像を前記表示部に表示する所定の画像として設定する処理部と、
を含むことを特徴とする携帯電子機器。
【請求項２】
前記製造ＩＤは、数列を含んで構成され、
前記複数のＩＤ情報は、それぞれが、前記携帯電子機器の筐体のデザインを一義的に示す所定範囲を指定する数値情報又は文字情報を含み、
前記処理部は、
前記所定の画像を設定する際、前記複数のＩＤ情報により特定される範囲のいずれに前記製造ＩＤの数列が属するかを判断することで、対応するＩＤ情報を検索する
ことを特徴とする請求項１に記載の携帯電子機器。
【請求項３】
前記製造ＩＤは、文字列を含んで構成され、当該文字列の一部には、前記携帯電子機器の筐体のデザインを一義的に示す情報が含まれており、
前記処理部は、
前記所定の画像を設定する際、前記文字列の一部と一致するＩＤ情報を前記複数のＩＤ情報から検索する
ことを特徴とする請求項１に記載の携帯電子機器。
【請求項４】
前記文字列の一部は、前記携帯電子機器の筐体の色を一義的に示す情報であることを特徴とする請求項３に記載の携帯電子機器。
【請求項５】
前記デザイン情報は、受信待ち受け時に前記表示部に表示させる待ち受け画面を描画するための画像情報と、前記表示部に表示させるメニュー画像を描画させるための画像情報との少なくとも一つである
ことを特徴とする請求項１から４のいずれか１項に記載の携帯電子機器。
【請求項６】
前記処理部は、
前記携帯電子機器のリセットが実行された後、あるいは電源起動時に前記製造ＩＤを取得して、取得した前記製造ＩＤに対応する前記デザイン情報に基づいた画像を、前記表示部に表示する前記所定の画像として設定する
ことを特徴とする請求項１から５のいずれか１項に記載の携帯電子機器。
【請求項７】
前記記憶部は、前記処理部により前記所定の画像が設定されると所定の値を保存し、
前記処理部は、
前記携帯電子機器の電源起動時に、前記記憶部に前記所定の値が記憶されているかどうかを判定し、記憶されていなければ、前記製造ＩＤを取得して、取得した前記製造ＩＤに対応するＩＤ情報の検索を行う
ことを特徴とする請求項１から５のいずれか１項に記載の携帯電子機器。
【請求項８】
前記デザイン情報は、前記表示部に表示される画像の背景について指定する背景情報と、前記背景上に表示する表示オブジェクトを指定するオブジェクト情報と、前記表示オブジェクトの動作について制定する動作情報とを含んで構成されるデータファイルである
ことを特徴とする請求項１から７のいずれか１項に記載の携帯電子機器。
【請求項９】
前記デザイン情報は、前記表示部に表示される画像の背景について指定する背景情報と、前記背景上に表示する表示オブジェクトを指定するオブジェクト情報と、前記表示オブジェクトの動作について制定する動作情報とを含んで構成されるデータファイルであり、
前記処理部は、
所定のイベントが発生すると、前記記憶部から前記製造ＩＤを取得して、取得した前記製造ＩＤに基づいて前記データファイルを特定し、当該データファイルにより生成される画像を前記所定の画像として設定する
ことを特徴とする請求項１から５のいずれか１項に記載の携帯電子機器。
【請求項１０】
前記表示部が設けられ、かつ開閉可能に構成される筐体を備え、
前記所定のイベントは、前記筐体の状態が開状態になること、あるいは閉状態が解除されたことのいずれかである
ことを特徴とする請求項９に記載の携帯電子機器。
【発明の詳細な説明】
【技術分野】
【０００１】
本発明は、携帯電話やＰＤＡ（Personal Digital Assistants）等の携帯電子機器に関する。
【背景技術】
【０００２】
現在の携帯電子機器においては、多様なユーザーのニーズに対応するため、通常、多数のカラーバリエーションを展開している。ところが、携帯電子機器の筐体の色によって、ユーザー層が明らかに異なる場合等が多いので、待ち受け時に表示される画像等のデザインについても、筐体のカラーバリエーションに対応させることが好ましい。
【０００３】
ユーザーの多様なニーズに対応する手段としては、例えば、特許文献１に開示されるようなものがある。これは、携帯電子機器の筐体にパネルを着脱可能に構成したものである。そして、特定の種類のコンテンツを呼び出すときには、装着されたパネルの種類を判別して、パネルに対応するコンテンツを呼び出す技術である。
【０００４】
【特許文献１】特開２００８−４２８２４号公報
【発明の開示】
【発明が解決しようとする課題】
【０００５】
しかし、特許文献１に開示された技術は、携帯電子機器の筐体に取り付けるパネルを交換するに過ぎず、基本となる筐体のカラーバリエーションに対しては対応していない。このため、筐体のカラーバリエーションを多色展開するとともに、筐体のカラーに合った待ち受け画像やメニュー画像を表示させるためには、それぞれのカラーバリエーション毎にそれぞれ個別の待ち受け画像やメニュー画像を持たせる必要がある。これを実現する場合、製造段階で、それぞれのカラーバリエーション毎に異なるデータを記憶部に書き込む必要がある。その結果、色数分の個別対応が必要になるため、製造効率が低下する。また、待ち受け画像やメニュー画像等のデータも含めたすべてのソフトウェアを記憶部に書き込む方式の場合には、それぞれ独立したソフトウェアが必要になるため、製造コストの上昇を招いてしまう。
【０００６】
また、それぞれの筐体の色に合ったデザインの待ち受け画像やメニュー画像を作成して携帯電子機器にインストールしておき、それぞれの筐体のカラーに合ったデザインの待ち受け画像等を携帯電子機器の表示部に表示させることが考えられる。しかしながら、複数のデザインの画像を携帯電子機器にインストールしたとしても、携帯電子機器の工場出荷時に設定される待ち受け画像やメニュー画像は、インストールされた複数のデザインの画像から一種類を選択しなければならない。このため、ユーザーが携帯電子機器を購入した後、初めて起動したときに表示される待ち受け画像やメニュー画像等は、筐体の色のイメージと相違することがある。
【０００７】
本発明は、上記に鑑みてなされたものであって、携帯電子機器の製造コストの上昇を抑制しつつ、携帯電子機器が備える筐体のデザインのイメージに合ったデザインの画像を表示部の画面に表示させることを目的とする。
【課題を解決するための手段】
【０００８】
本発明に係る携帯電子機器は、画像を表示する表示部を有する携帯電子機器であって、自装置の製造ＩＤと、それぞれ画像情報を有する複数のデザイン情報と、複数のＩＤ情報とが保存されるとともに、前記複数のＩＤ情報と前記複数のデザイン情報とがそれぞれ対応付けられている記憶部と、前記製造ＩＤを取得して、当該製造ＩＤの少なくとも一部に対応するＩＤ情報を前記複数のＩＤ情報から検索し、検索されたＩＤ情報に対応するデザイン情報に基づいた画像を前記表示部に表示する所定の画像として設定する処理部と、を含む構成としたものである。
【０００９】
また、本発明の携帯電子機器において、前記製造ＩＤは、数列を含んで構成され、前記複数のＩＤ情報は、それぞれが、前記携帯電子機器の筐体のデザインを一義的に示す所定範囲を指定する数値情報又は文字情報を含み、前記処理部は、前記所定の画像を設定する際、前記複数のＩＤ情報により特定される範囲のいずれに前記製造ＩＤの数列が属するかを判断することで、対応するＩＤ情報を検索するように構成してもよい。
【００１０】
また、本発明の携帯電子機器において、前記製造ＩＤは、文字列を含んで構成され、当該文字列の一部には、前記携帯電子機器の筐体のデザインを一義的に示す情報が含まれており、前記処理部は、前記所定の画像を設定する際、前記文字列の一部と一致するＩＤ情報を前記複数のＩＤ情報から検索するように構成してもよい。
【００１１】
また、本発明の携帯電子機器において、前記文字列の一部は、前記携帯電子機器の筐体の色を一義的に示す情報としてもよい。
【００１２】
また、本発明の携帯電子機器において、前記デザイン情報は、受信待ち受け時に前記表示部に表示させる待ち受け画面を描画するための画像情報と、前記表示部に表示させるメニュー画像を描画させるための画像情報との少なくとも一つとしてもよい。
【００１３】
また、本発明の携帯電子機器において、前記処理部は、前記携帯電子機器のリセットが実行された後、あるいは電源起動時に前記製造ＩＤを取得して、取得した前記製造ＩＤに対応する前記デザイン情報に基づいた画像を、前記表示部に表示する前記所定の画像として設定するように構成してもよい。
【００１４】
また、本発明の携帯電子機器において、前記記憶部は、前記処理部により前記所定の画像が設定されると所定の値を保存し、前記処理部は、前記携帯電子機器の電源起動時に、前記記憶部に前記所定の値が記憶されているかどうかを判定し、記憶されていなければ、前記製造ＩＤを取得して、取得した前記製造ＩＤに対応するＩＤ情報の検索を行うように構成してもよい。
【００１５】
また、本発明の携帯電子機器において、前記デザイン情報は、前記表示部に表示される画像の背景について指定する背景情報と、前記背景上に表示する表示オブジェクトを指定するオブジェクト情報と、前記表示オブジェクトの動作について制定する動作情報とを含んで構成されるデータファイルとしてもよい。
【００１６】
また、本発明の携帯電子機器において、前記デザイン情報は、前記表示部に表示される画像の背景について指定する背景情報と、前記背景上に表示する表示オブジェクトを指定するオブジェクト情報と、前記表示オブジェクトの動作について制定する動作情報とを含んで構成されるデータファイルであり、前記処理部は、所定のイベントが発生すると、前記記憶部から前記製造ＩＤを取得して、取得した前記製造ＩＤに基づいて前記データファイルを特定し、当該データファイルにより生成される画像を前記所定の画像として設定するように構成してもよい。
【００１７】
また、本発明の携帯電子機器において、前記表示部が設けられ、かつ開閉可能に構成される筐体を備え、前記所定のイベントは、前記筐体の状態が開状態になること、あるいは閉状態が解除されたことのいずれかとしてもよい。
【発明の効果】
【００１８】
本発明は、携帯電子機器の製造コストの上昇を抑制しつつ、携帯電子機器が備える筐体のデザインのイメージに合ったデザインの画像を表示部の画面に表示させることができる。
【発明を実施するための最良の形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handy phone System）、ＰＤＡ、ポータブルナビゲーション装置、ノートパソコン、ゲーム機等に対しても本発明は適用できる。
【００２０】
（実施形態１）
図１は、実施形態１に係る携帯電子機器の正面図である。図２は、実施形態１に係る携帯電子機器の側面図である。図３は、実施形態１に係る携帯電子機器を閉じた状態を示す図である。本実施形態は、携帯電子機器において、複数のＩＤ情報と、それぞれ画像情報を有する複数のデザイン情報とをそれぞれ対応付けておき、自装置の製造ＩＤの少なくとも一部に対応するＩＤ情報を複数のＩＤ情報から検索し、検索されたＩＤ情報に対応するデザイン情報が、表示部に表示される所定の画像として設定される点に特徴がある。これによって、本実施形態は、携帯電子機器の製造ＩＤを用いて自機器の筐体のデザインを判別し、判別された筐体のデザインのイメージに合った画像を表示部に表示させることができる。本実施形態では、複数のＩＤ情報は、それぞれが、携帯電子機器の筐体のデザインを一義的に示す所定の範囲を指定する数値情報又は文字情報を含んでおり、所定の画像を設定する際、複数のＩＤ情報により特定される範囲のいずれに自機器の製造ＩＤの数列が属するかを判断することで、自機器に対応するＩＤ情報を検索する。
【００２１】
まず、携帯電子機器の構成を説明する。携帯電子機器１は、無線通信機能を備えた携帯電話機である。携帯電子機器１は、筐体１Ｃが第１筐体１ＣＡと第２筐体１ＣＢとで開閉可能に構成された、折り畳み式の携帯電話機である。図１、図２は、携帯電子機器１を開いた状態を示し、図３は、携帯電子機器１を閉じた状態を示す。
【００２２】
第１筐体１ＣＡには、表示部として、図１に示すメインディスプレイ２Ｍが設けられる。また、第１筐体１ＣＡには、同じく表示部として図３に示すサブディスプレイ２Ｓが設けられる。メインディスプレイ２Ｍとサブディスプレイ２Ｓとは、第１筐体１ＣＡの対向する面にそれぞれ配置されており、携帯電子機器１を閉じたときには、サブディスプレイ２Ｓをユーザーが目視できるように構成される。
【００２３】
メインディスプレイ２Ｍは、所定の画像として、携帯電子機器１が受信を待機している状態のときに待ち受け画像を表示したり、携帯電子機器１の操作を補助するために用いられるメニュー画像を表示したりする。ここで、待ち受け画像とは、携帯電子機器１が通信（バックグラウンド動作を除く）しておらず、かつユーザーからの操作も発生しておらず、かつユーザーからの指示を待ち受けている場合に、メインディスプレイ２Ｍに表示されるものであって、壁紙ともいう。待ち受け画像は、静止画、動画のいずれも含み、前述した条件で表示されるものであれば、スクリーンセーバーと称されるものも待ち受け画像に含まれる。サブディスプレイ２Ｓは、図３に示すように、携帯電子機器１を閉じている状態において、携帯電子機器１の電池の残量や電波の受信状態等を表示する。また、第１筐体１ＣＡには、携帯電子機器１の通話時に音声を発するスピーカ６が設けられる。
【００２４】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。第２筐体１ＣＢにはアンテナ７が設けられており、携帯電子機器１と基地局との間における送受信に用いられる。なお、操作キー３及び方向及び決定キー４は、携帯電子機器１の操作部を構成する。
【００２５】
図２に示すように、本実施形態において、第２筐体１ＣＢの一つの側部（操作キー３や方向及び決定キー４が設けられる面と略直交する面のうちの一つ）には、通信用端子８が設けられる。通信用端子８は、第２筐体１ＣＢ内に設けられる記憶部に第２筐体１ＣＢの外部から情報を保存したり、前記記憶部に保存される情報を第２筐体１ＣＢの外部へ取り出したりする際に用いられる。前記記憶部に保存される情報は、例えば、携帯電子機器１の制御に用いるソフトウェアや画像データ、あるいは音声データ等である。また、第２筐体１ＣＢには、携帯電子機器１の通話時に音声を受け取るマイク５が設けられる。
【００２６】
第１筐体１ＣＡと第２筐体１ＣＢとは、ヒンジ９で連結されている。これによって、第１筐体１ＣＡ及び第２筐体１ＣＢは、ヒンジ９を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２７】
図４は、実施形態１に係る携帯電子機器の機能を説明するブロック図である。携帯電子機器１は、通信部１１と、処理部１２と、記憶部１３と、音声処理部１４と、マイク５（ＭＩＣ）と、スピーカ６（ＳＰ）と、表示部１７と、操作部１８とを有する。通信部１１は、アンテナ７を備えており、基地局のいずれかによって割り当てられるチャネルを介して、前記基地局との間で無線通信を行う。
【００２８】
処理部１２は、携帯電子機器１の全体的な動作を統括的に制御する。すなわち、携帯電子機器１の各種の処理が、操作部１８の操作や携帯電子機器１の記憶部１３に保存されるソフトウェアに応じて適切な手順で実行されるように、通信部１１や表示部１７等の動作を制御する。携帯電子機器１の各種の処理としては、例えば、回線交換網を介して行われる音声通話、電子メールの作成及び送受信、インターネットのＷｅｂ（World Wide Web）サイトの閲覧等がある。また、通信部１１や表示部１７等の動作としては、例えば、通信部１１における信号の送受信、音声処理部１４における音声の入出力、表示部１７における画像の表示等がある。
【００２９】
処理部１２は、記憶部１３に保存されているプログラム（例えば、オペレーティングシステムプログラム、アプリケーションプログラム等）に基づいて処理を実行する。処理部１２は、例えば、マイクロプロセッサユニット（ＭＰＵ：Micro Processor Unit）で構成され、前記ソフトウェアで指示された手順にしたがって上述した携帯電子機器１の各種の処理を実行する。すなわち、処理部１２は、記憶部１３に保存されるオペレーティングシステムプログラムやアプリケーションプログラム等から命令コードを順次読み込んで処理を実行する。
【００３０】
処理部１２は、複数のアプリケーションプログラムを実行する機能を有する。処理部１２が実行するアプリケーションプログラムとしては、例えば、携帯電子機器１がリセットされてから最初に電源起動したときに携帯電子機器１の初期設定をするアプリケーションプログラム、待ち受け画像ファイル（画像情報）を記憶部１３から読み出してデコードするアプリケーションプログラム、及びデコードして得られる画像を表示部１７に表示するアプリケーションプログラム等の複数のアプリケーションプログラムがある。このため、処理部１２は、主処理部１２ａと、筐体開閉検知部１２ｂと、画像表示処理部１２ｃと、デコード処理部１２ｄと、表示制御部１２ｅと、ファイルシステム制御部１２ｆと、起動部１２ｇとを含んで構成される。
【００３１】
筐体開閉検知部１２ｂは、主処理部１２ａによる制御の下、図１に示す携帯電子機器１の筐体１Ｃの閉状態を検知して、これを画像表示処理部１２ｃへ通知する。筐体１Ｃが閉状態でない場合、すなわち、筐体１Ｃが開状態であることを通知された画像表示処理部１２ｃは、待ち受け画像表示タスク１３ｂを実行する。本実施形態において、待ち受け画像表示タスク１３ｂは、例えば、待ち受け画像の表示が必要になった場合に、表示すべき待ち受け画像を記憶部１３から読み出してデコードし、メインディスプレイ２Ｍに表示するものである。また、待ち受け画像表示タスク１３ｂは、待ち受け画像の表示用に用意されたデータファイルを記憶部１３から読み出し、読み出された待ち受け画像をデコードし、表示部１７に表示するものである。
【００３２】
ここで、待ち受け画像の表示が必要になった場合とは、例えば、携帯電子機器１の筐体１Ｃが開状態にあることを筐体開閉検知部１２ｂが検知した場合や、通信や操作画面が終了した場合等である。このような場合、画像表示処理部１２ｃは、待ち受け画像表示タスク１３ｂを実行して、表示すべき待ち受け画像を表示部１７に表示する。ここで、筐体開閉検知部１２ｂが筐体１Ｃの閉状態を検知した場合、画像表示処理部１２ｃは、サブディスプレイ２Ｓに、受信状態や電池の残量といった必要最小限の表示をする。
【００３３】
なお、本実施形態において、処理部１２の処理負荷が軽減される状態に移行したときに、記憶部１３から次にデコードすべき待ち受け画像ファイルを読み出してデコードするように、待ち受け画像表示タスク１３ｂを構成してもよい。これによって、画像表示処理部１２ｃは、処理部１２の空き時間に待ち受け画像のデコードを実行するので、処理部１２をより効果的に利用できるとともに、待ち受け画像を表示するまでのタイムラグを低減できる。ここで、処理部１２の処理負荷が軽減される状態とは、携帯電子機器１の筐体１Ｃが閉状態にある場合等である。筐体開閉検知部１２ｂが筐体１Ｃの閉状態を検出したとき、すなわち、携帯電子機器１の筐体１Ｃの開状態を検出しなくなったときに、携帯電子機器１の筐体１Ｃが閉状態であることが検知される。
【００３４】
主処理部１２ａは制御中枢となり、筐体開閉検知部１２ｂ、画像表示処理部１２ｃ、デコード処理部１２ｄ、表示制御部１２ｅ、ファイルシステム制御部１２ｆ、起動部１２ｇのシーケンス制御を司る。また、筐体開閉検知部１２ｂ、画像表示処理部１２ｃ、デコード処理部１２ｄ、表示制御部１２ｅ、ファイルシステム制御部１２ｆ、起動部１２ｇがそれぞれ有する機能は、処理部１２及び記憶部１３で構成されるハードウェア資源が、主処理部１２ａによって割り当てられるタスクを実行することにより実現される。ここで、タスクとは、アプリケーションソフトウェアが行っている処理全体、又は同じアプリケーションソフトウェアが行っている処理のうち、同時に実行できない処理単位である。
【００３５】
本実施形態において、前記ハードウェア資源が割り当てられるタスクのうち代表的なものは、起動タスク１３ａ、待ち受け画像表示タスク１３ｂ、デコードタスク１３ｃ、表示制御タスク１３ｄ、ファイルシステム制御タスク１３ｅである。これらのタスクは、例えば、記憶部１３に保存される。デコードタスク１３ｃはデコード処理部１２ｄによって実行され、表示制御タスク１３ｄは表示制御部１２ｅによって実行され、ファイルシステム制御タスク１３ｅはファイルシステム制御部１２ｆによって実行される。
【００３６】
起動タスク１３ａは、携帯電子機器１の電源起動時に実行される。そして、起動タスク１３ａは、携帯電子機器１が工場から出荷された後や、修理等を受けてリセット（処理部１２及び記憶部１３が初期化）された後に、携帯電子機器１の電源が投入された場合には、携帯電子機器１の製造ＩＤに基づき、携帯電子機器１の表示部１７に表示される所定の画像を設定する機能を有する。この場合、所定の画像のみならず、携帯電子機器１の受信音やメール送信音等の音声や辞書機能といった携帯電子機器１の機能を設定してもよい。ここで、携帯電子機器１の初期設定時に設定される情報には、例えば、待ち受け画像やメニュー画像のデザイン、アニメーションにおける表示対象の動かし方、受信音やメール送信音等の音声といったものがある。ここで、画像のデザインは、背景の色や模様、表示対象の色や模様や図案、表示対象の動かし方、画面の明るさ等を含む。
【００３７】
待ち受け画像表示タスク１３ｂは、少なくとも携帯電子機器１が受信待機状態になっているときに、携帯電子機器１の表示部１７のうち、主にメインディスプレイ２Ｍに表示される待ち受け画像を表示する機能を有する。デコードタスク１３ｃは、ＪＰＥＧ（Joint Photographic Experts Group）やＧＩＦ（Graphic Interchange Format）等の画像形式の画像データ、あるいはＦｌａｓｈ（登録商標、以下同様）等の画像データをＲＧＢ（Red Green Blue）データにデコード変換する機能を有する。表示制御タスク１３ｄは、メインディスプレイ２Ｍへ待ち受け画像やメニュー画像、あるいはスクリーンセーバー等を表示する制御や、サブディスプレイ２Ｓへ時計や受信状態を表示する制御を実行する機能を有する。ファイルシステム制御タスク１３ｅは、待ち受け画像やメニュー画像、あるいはスクリーンセーバー等をメインディスプレイ２Ｍに表示する際に用いるＪＰＥＧやＧＩＦ等の画像データや、待ち受け画像等を生成する画像のパッケージファイルを管理する機能を有する。
【００３８】
本実施形態において、処理部１２を構成する主処理部１２ａ、筐体開閉検知部１２ｂ、画像表示処理部１２ｃ、デコード処理部１２ｄ、表示制御部１２ｅ、ファイルシステム制御部１２ｆ、起動部１２ｇがそれぞれ有する機能は、記憶部１３に保存されるタスクを処理部１２で実行することにより実現されるものである。したがって、処理部１２内において、主処理部１２ａ、筐体開閉検知部１２ｂ、画像表示処理部１２ｃ等は、それぞれ物理的に区別されて構成されるものではなく、本実施形態では、あくまで説明の便宜上、主処理部１２ａ、筐体開閉検知部１２ｂ、画像表示処理部１２ｃ等を分けて説明するものである。なお、処理部１２内において、主処理部１２ａ、筐体開閉検知部１２ｂ、画像表示処理部１２ｃ等を、それぞれ物理的に区別して、すなわち、それぞれの機能を実現する専用のハードウェアとして構成してもよい。
【００３９】
記憶部１３には、携帯電子機器１の製造ＩＤが保存される製造ＩＤ保存部１３ｆ、起動部１２ｇが起動タスク１３ａを実行することで設定される携帯電子機器１の初期設定情報が保存される設定保存部１３ｇ、デコード処理部１２ｄにより参照される画像データ保存部１３ｈ、携帯電子機器１の初期設定等に必要なデータが保存されるデータテーブル保存部１３ｉが設けられる。
【００４０】
記憶部１３には、さらに、上述したタスクの他、処理部１２での処理に利用されるソフトウェアやデータが保存される。例えば、通信、ダウンロードされた画像データや音声データ等、あるいは記憶部１３に対する制御に処理部１２が用いるソフトウェア、通信相手の電話番号やメールアドレス等を保存し、管理するアドレス帳、発信音や着信音等の音声ファイル、ソフトウェアの処理過程で用いられる一時的なデータ等が記憶部１３に保存される。記憶部１３は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００４１】
音声処理部１４は、スピーカ６から出力される音声信号やマイク５に入力される音声信号の処理を実行する。すなわち、音声処理部１４は、マイク５から入力される音声を増幅し、ＡＤ変換（Analog Digital変換）を実行した後さらに符号化等の信号処理を施して、ディジタルの音声データに変換して処理部１２へ出力する。また、処理部１２から送られる音声データに対して復号化、ＤＡ変換（Digital Analog変換）、増幅等の処理を施してアナログの音声信号に変換してから、スピーカ６へ出力する。
【００４２】
表示部１７は、携帯電子機器１の筐体１Ｃを閉じたときに隠れ、開いたときに露出するメインディスプレイ２Ｍと、筐体１Ｃを閉じたときでも筐体１Ｃの外側に露出するサブディスプレイ２Ｓとで構成される。メインディスプレイ２Ｍ及びサブディスプレイ２Ｓは、例えば、液晶表示パネルや有機ＥＬ（Electro Luminescence）パネルのような表示デバイスで構成されており、処理部１２から送られる映像信号（待ち受け画像やメニュー画像等の映像信号であり、静止画、動画を含む）に応じた画像を表示する。メインディスプレイ２Ｍには、例えば、待ち受け画像、メニュー画像、発信時における発信相手の電話番号、着信時における着信相手の電話番号、受信メールや送信メールの内容、バッテリの残量、発信成否、待ち受け画像、メニュー画像等の各種の情報が表示される。また、サブディスプレイ２Ｓには、日付や時刻、受信状態、バッテリ残量等が表示される。
【００４３】
操作部１８は、図１に示す操作キー３や方向及び決定キー４を含んで構成されている。操作キー３は複数のキーで構成され、また、方向及び決定キー４は複数のスイッチで構成される。複数のキーや複数のスイッチには、電源、通話、数字、文字、方向、決定、発信等、携帯電子機器１の操作に必要な各種の機能が割り当てられている。そして、操作キー３や方向及び決定キー４がユーザーによって操作されることにより、操作キー３や方向及び決定キー４は、その操作内容に割り当てられた信号を発生する。そして、発生した信号は、ユーザーの指示として処理部１２へ入力される。次に、携帯電子機器１の表示部１７の画面に表示される所定の画像を設定する方法を説明する。
【００４４】
図５は、携帯電子機器に付される製造ＩＤの一例を示す図である。図６は、携帯電子機器の製造ＩＤと、ＩＤ情報と、携帯電子機器の初期設定情報との関係を示すテーブルである。図７−１は、製造ＩＤとＩＤ情報との対応関係が記述されたデータテーブルを示す模式図である。図７−２は、ＩＤ情報とデザイン情報との対応関係が記述されたデータテーブルを示す模式図である。図７−３は、携帯電子機器の製造ＩＤとデザイン情報との対応関係が記述されたデータテーブルを示す模式図である。
【００４５】
本実施形態では、例えば、待ち受け画像やメニュー画像といった所定の画像を、携帯電子機器１を構成する筐体１Ｃのデザインのイメージと合わせて、表示部１７に表示させる。このため、本実施形態では、携帯電子機器１の記憶部１３に、携帯電子機器１の製造ＩＤと、それぞれ画像情報を有する複数のデザイン情報と、複数のＩＤ情報とを保存するとともに、複数のＩＤ情報と複数のデザイン情報とをそれぞれ対応付ける。処理部１２は、例えば、携帯電子機器１のリセット後、初めて電源起動したときには、製造ＩＤを取得する。そして、処理部１２は、取得した製造ＩＤの少なくとも一部に対応するＩＤ情報を複数のＩＤ情報から検索し、検索されたＩＤ情報に対応するデザイン情報に基づいた画像を、表示部１７、より具体的にはメインディスプレイ２Ｍに表示する所定の画像として設定する。ここで、本実施形態において、デザイン情報とは、携帯電子機器１の受信待ち受け時に表示部１７に表示させる待ち受け画面を描画するための画像情報と、表示部１７に表示させるメニュー画像を描画させるための画像情報とのうち少なくとも一つを含む。また、筐体１Ｃのデザインとは、筐体１Ｃの色、模様、形状をいう。
【００４６】
図５には、携帯電子機器の製造ＩＤの一例が示される。携帯電子機器は、製造順に通し番号を有する製造ＩＤが付され、図４に示す記憶部１３の製造ＩＤ保存部１３ｆに保存される。製造ＩＤは、複数の携帯電子機器それぞれの固有の情報であり、自機器と他の携帯電子機器とを区別するために使用できる情報である。このため、製造ＩＤ保存部１３ｆは、例えば、不揮発性の記憶デバイスを用いて追記や全消去ができないように構成される。
【００４７】
本実施形態においては、図５に示すように、製造ＩＤは数列を含んだ９桁の文字列で表現される。このうち、下７桁が携帯電子機器１の製造順に付される、それぞれの携帯電子機器に固有の番号である。この固有の番号を、便宜上製造番号という。製造番号によって、自機器と他の携帯電子機器とを区別できる。図５に示す製造ＩＤの例は、下１桁が１であり、下２桁から下７桁が０なので、最初に製造された携帯電子機器に付されるものである。
【００４８】
図６に示すテーブル６０は、携帯電子機器の製造ＩＤと、携帯電子機器の筐体のデザインを一義的に示す情報であるＩＤ情報と、携帯電子機器のデザイン情報とがそれぞれ対応付けられて記述されている。なお、テーブル６０は、説明の便宜上用いるものであり、本実施形態での所定の画像を設定する方法で用いるものではない。
【００４９】
ＩＤ情報は、携帯電子機器の筐体のデザイン、すなわち、筐体の色、模様、形状の少なくとも一つについての情報を含んでいる。本実施形態において、ＩＤ情報がＫである場合は筐体の色が黒単色であり、ＩＤ情報がＷである場合は筐体の色が白単色であり、ＩＤ情報がＰである場合は筐体の色がピンク単色であり、ＩＤ情報がＱである場合は筐体の色が白と黒との塗り分けである。なお、本実施形態において、ＩＤ情報は文字情報であるが、数値情報であってもよいし、数値情報と文字情報とを組み合わせてもよい。このように、本実施形態では、複数のＩＤ情報は、それぞれが携帯電子機器の筐体のデザイン（本実施形態では色）と対応付けられる。
【００５０】
本実施形態において、所定範囲の製造ＩＤを製造ＩＤ群とする。そして、製造ＩＤがＫＣ００００００１からＫＣ０００５０００までの製造ＩＤ群（第１製造ＩＤ群）は、ＩＤ情報がＫであり、製造ＩＤがＫＣ０００５００１からＫＣ００１００００までの製造ＩＤ群（第２製造ＩＤ群）は、ＩＤ情報がＷである。また、製造ＩＤがＫＣ００１０００１からＫＣ００１５０００までの製造ＩＤ群（第３製造ＩＤ群）は、ＩＤ情報がＰであり、製造ＩＤがＫＣ００１５００１からＫＣ００２００００までの製造ＩＤ群（第４製造ＩＤ群）は、ＩＤ情報がＱである。すなわち、本実施形態では、第１製造ＩＤ群における筐体の色は黒単色であり、第２製造ＩＤ群における筐体の色は白単色である。また、第３製造ＩＤ群における筐体の色はピンク単色であり、第４製造ＩＤ群における筐体の色は白と黒との塗り分けである。
【００５１】
製造ＩＤの所定範囲、すなわち第１製造ＩＤ群、第２製造ＩＤ群、第３製造ＩＤ群、第４製造ＩＤ群は、それぞれが携帯電子機器の筐体のデザインを一義的に示している。そして、複数のＩＤ情報Ｋ、Ｗ、Ｐ、Ｑは、それぞれが、第１製造ＩＤ群、第２製造ＩＤ群、第３製造ＩＤ群、第４製造ＩＤ群に対応付けられている。このため、複数のＩＤ情報Ｋ、Ｗ、Ｐ、Ｑを特定すれば、携帯電子機器の筐体のデザインを一義的に示す製造ＩＤの所定範囲（すなわち、製造ＩＤ群）が特定される。
【００５２】
図６のテーブル６０には、デザイン情報として、待ち受け画像、メニュー画像、受信時画像、文字サイズが記述される。それぞれのデザイン情報は、上述した第１製造ＩＤ群から第４製造ＩＤ群それぞれに対して、図６のテーブル６０のように設定される。すなわち、第１製造ＩＤ群に対しては、待ち受け画像がパターンＣに、メニュー画像がメニューＡに、受信時画像がパターンＡに、文字サイズが小に設定され、第２製造ＩＤ群に対しては、待ち受け画像がパターンＡに、メニュー画像がメニューＡに、受信時画像がパターンＡに、文字サイズが小に設定される。第３製造ＩＤ群、第４製造ＩＤ群に対しても、テーブル６０に示す通りに設定される。
【００５３】
例えば、デザイン情報のうち待ち受け画像については、第１製造ＩＤ群に対しては画像情報としてパターンＣ、第２製造ＩＤ群に対しては画像情報としてパターンＡというように、デザイン情報は、それぞれの製造ＩＤ群に対してそれぞれ画像情報が対応付けられる。このように、それぞれのデザイン情報は、それぞれの製造ＩＤ群に対応した、複数の画像情報を有する。画像情報は、例えば、ＪＰＥＧ、ＧＩＦ等の画像形式の画像データやＦｌａｓｈによる画像データであり、それぞれの携帯電子機器が備える筐体のデザインに合ったデザインの画像が予め用意される。
【００５４】
本実施形態においては、図４に示す処理部１２が表示部１７（より具体的にはメインディスプレイ２Ｍ）に表示される所定の画像を設定する際、複数のＩＤ情報により特定される範囲、すなわち製造ＩＤ群のいずれに自機器の製造ＩＤの数列（製造番号）が属するかを処理部１２が判断することで、自機器の製造ＩＤに対応するＩＤ情報を検索する。そして、処理部１２は、検索されたＩＤ情報に対応するデザイン情報に基づいた画像を、メインディスプレイ２Ｍに表示する所定の画像として設定する。
【００５５】
例えば、自機器の製造ＩＤがＫＣ００００１００である場合、製造番号００００１００は第１製造ＩＤ群に属する。第１製造ＩＤ群に対応するＩＤ情報はＫなので、製造ＩＤがＫＣ００００１００である携帯電子機器のＩＤ情報を処理部１２が検索した結果はＫとなる。処理部１２は、検索されたＩＤ情報に対応するデザイン情報に基づいた画像を、表示部１７に表示する所定の画像として設定する。例えば、自機器の製造ＩＤがＫＣ００００１００である場合において、検索されたＩＤ情報に対応するデザイン情報に基づいた画像が待ち受け画像である場合には、パターンＣの画像が自機器の表示部１７に表示される所定の画像として設定される。
【００５６】
本実施形態において、それぞれの製造ＩＤ群に対して設定される携帯電子機器のデザイン情報は、それぞれの製造ＩＤ群に属する携帯電子機器が備える筐体のデザインのイメージに合うように設定される。例えば、第１製造ＩＤ群に属する携帯電子機器の筐体の色は黒であるので、待ち受け画像の色も筐体の色に合った落ち着いた色に設定される。また、第３製造ＩＤ群に属する携帯電子機器の筐体の色はピンクであるので、待ち受け画像の色も筐体の色に合った色、例えば同じピンクに設定される。
【００５７】
また、例えば、筐体の色が黒や白等の無彩色である携帯電子機器を購入するユーザーは、携帯電子機器を主としてビジネスに利用する人が多く、ピンクやかわいらしい模様の入った筐体の携帯電子機器を購入するユーザーは、携帯電子機器を主として趣味に利用する人が多いという結果があったとする。この場合、第１製造ＩＤ群及び第２製造ＩＤ群に属する携帯電子機器の筐体の色は無彩色なので、これらの製造ＩＤ群に属する携帯電子機器に対しては、メニュー画像も難しい項目まで表示させるように設定される。また、第３製造ＩＤ群に属する携帯電子機器の筐体の色はピンクであり、第４製造ＩＤ群に属する携帯電子機器の筐体の色は白と黒との塗り分けなので、メニュー画像は難しい項目の表示をさせないように設定される。
【００５８】
このように、携帯電子機器の製造ＩＤは、自機器を他の携帯電子機器と区別できるので、携帯電子機器の製造ＩＤに基づいて、携帯電子機器の筐体のデザインを区別できる。本実施形態では、これを利用して、上述したように、携帯電子機器の製造ＩＤとデザイン情報とを対応付ける。より具体的には、携帯電子機器の製造ＩＤとデザイン情報とを、携帯電子機器の筐体のデザインに基づいて対応付ける。これによって、本実施形態では、筐体のデザインのイメージに合ったデザインの画像（待ち受け画像やメニュー画像）、文字サイズ、文字デザイン等に設定できる。
【００５９】
図７−１に示すデータテーブル６１は、所定範囲の製造ＩＤ、すなわち製造ＩＤ群と、ＩＤ情報との関係が記述されて、記憶部１３のデータテーブル保存部１３ｉに保存されている。本実施形態では、このデータテーブル６１を用いて製造ＩＤ群に対応する筐体のデザインを判別する。すなわち、携帯電子機器の製造ＩＤが分かればその製造ＩＤが属する製造ＩＤ群が分かるので、データテーブル６１から、その製造ＩＤが属する製造ＩＤ群に対応するＩＤ情報が分かる。例えば、製造ＩＤがＫＣ０００６８７４である場合、ＩＤ情報はＷである。
【００６０】
ここで、本実施形態においては、製造ＩＤの少なくとも一部（本実施形態では製造番号）と筐体のデザインとは対応付けられており、また、製造ＩＤの少なくとも一部とデザイン情報とは対応付けられている。したがって、図７−２に示すデータテーブル６２のように、携帯電子機器の筐体のデザインを一義的に示すＩＤ情報とデザイン情報とも対応付けられることになる。このため、本実施形態では、携帯電子機器の製造ＩＤから、その携帯電子機器を構成する筐体のデザインのイメージに合ったデザインの画像を選択し、携帯電子機器の表示部に表示させる所定の画像として設定できる。
【００６１】
図７−３に示すデータテーブル６３は、製造ＩＤの少なくとも一部とデザイン情報とを直接対応付けたものである。このようにしても、携帯電子機器の製造ＩＤから、その携帯電子機器が備える筐体のデザインのイメージに合ったデザイン情報を選択し、携帯電子機器の表示部に表示させる画像として設定できる。製造ＩＤの少なくとも一部とデザイン情報とを直接対応付けることにより、自機器の製造ＩＤからこれに対応するＩＤ情報を検索し、検索されたＩＤ情報からデザイン情報に基づいた画像を設定するという手順が不要になるので、その分処理を簡略化できる。次に、本実施形態において、携帯電子機器の表示部の画面に表示される所定の画像を設定する手順を説明する。
【００６２】
図８は、携帯電子機器の設計、製造段階での工程を示す流れ図である。図９−１は、実施形態１において、所定の画像を設定する手順を示す流れ図である。図９−２は、記憶部に保存される待ち受け画像管理テーブルやメニュー画像管理テーブル等を示す模式図である。図１０−１は、携帯電子機器が備える筐体のデザインの一例を示す全体図である。図１０−２、図１０−３は、携帯電子機器の表示部に表示される待ち受け画像の一例を示す模式図である。本実施形態においては、携帯電子機器１の設計段階において、例えば、図７−２のデータテーブル６２に示すように、ＩＤ情報とデザイン情報とを対応付けておく（ステップＳ１０１）。
【００６３】
図７−２に示すデータテーブル６２を作成することにより、ステップＳ１０１におけるＩＤ情報とデザイン情報との対応付けが実現される。ここで、図７−２に示すデータテーブル６２を用いる場合、図７−１に示すデータテーブル６１を作成して、製造ＩＤとＩＤ情報とを対応付けておく。なお、例えば、図７−３に示すデータテーブル６３によって、ＩＤ情報を用いず、製造ＩＤと、デザイン情報とを直接対応付けてもよい。
【００６４】
データテーブル６１、６２は、図４に示す携帯電子機器１の記憶部１３のデータテーブル保存部１３ｉに保存される。そして、携帯電子機器１の表示部１７に表示される所定の画像を設定する際には、処理部１２がデータテーブル保存部１３ｉに保存されているデータテーブル６１、６２を参照する。また、データテーブル６１、６２を、例えば、起動タスク１３ａあるいは起動タスク１３ａを含むアプリケーションソフトウェア内に記述してもよい。いずれの態様でも、ＩＤ情報とデザイン情報とを対応付けた情報は、記憶部１３に保存される。
【００６５】
携帯電子機器１の製造工程においては、自機器の製造ＩＤを、図４に示す記憶部１３の製造ＩＤ保存部１３ｆに保存する（ステップＳ１０２）。ここで、ステップＳ１０１、ステップＳ１０２は、携帯電子機器１の製造段階で実行される手順である。また、携帯電子機器１の製造工程においては、携帯電子機器１の機能を実現するために必要なソフトウェアを、図４に示す記憶部１３へインストールする。なお、前記ソフトウェアは、上述した起動タスク１３ａ、待ち受け画像表示タスク１３ｂ、デコードタスク１３ｃ、表示制御タスク１３ｄ、ファイルシステム制御タスク１３ｅを含むものである。このようにして、携帯電子機器１が完成する。次に、図９を用いて、携帯電子機器１の表示部１７に表示される所定の画像を設定する手順を説明する。次においては、例えば、携帯電子機器１が製造されて出荷された後のように、携帯電子機器１のリセット後、最初の電源起動後に表示される待ち受け画面やメニュー画像を設定する場合を例として説明する。
【００６６】
携帯電子機器１が完成したら、出荷前に携帯電子機器１の電源が投入される。これによって、携帯電子機器１が起動するか否か、及び着信及び発信が実行できるかが確認される。また、図４に示す表示部１７を構成するメインディスプレイ２Ｍやサブディスプレイ２Ｓの表示状態が調整される。着信、発信の確認においては、携帯電子機器１の記憶部１３に着信、発信の履歴が残るので、出荷前にはこの履歴が消去される。携帯電子機器１の着信、発信が確認されたら、携帯電子機器１をリセットすることにより、着信、発信の履歴が携帯電子機器１の記憶部１３から消去される。そして、携帯電子機器１は、箱詰めされて各販売店へ出荷される。
【００６７】
携帯電子機器１が購入されると、各種設定や動作確認のため、例えば販売店において携帯電子機器１の電源が投入される（ステップＳ２０１）。これによって、携帯電子機器１が起動を開始する。すると、主処理部１２ａは、起動部１２ｇに制御を移す。すなわち、主処理部１２ａは、処理部１２及び記憶部１３のハードウェア資源を、起動タスク１３ａに割り当てる。これにより、起動部１２ｇが起動タスク１３ａを実行する。
【００６８】
起動タスク１３ａが実行されると、起動部１２ｇは、図４に示す記憶部１３の設定保存部１３ｇに割り当てられるフラグ管理領域に、設定完了フラグＦ１＝１が保存されているか否かを判定する（ステップＳ２０２）。これによって、起動部１２ｇは、携帯電子機器１が、リセット後、初の電源起動であるか否かを判定する。ここで、設定保存部１３ｇは、ＥＰＲＯＭ（Erasable Programmable ROM）の一種であるＥＥＰＲＯＭ（Electrically Erasable Programmable ROM）で構成される。
【００６９】
設定完了フラグＦ１＝１でない場合、すなわち、Ｆ１＝０である場合、携帯電子機器１は、リセット後、初の電源起動であり、表示部１７に表示される所定の画像の設定（以下表示画像設定という）は未了であると判定できる。起動部１２ｇがＦ１＝１でない場合と判定した場合（ステップＳ２０２：Ｎｏ）、表示画像設定は未了であると判定できる。この場合、起動部１２ｇは、記憶部１３の製造ＩＤ保存部１３ｆから、自機器の製造ＩＤを読み込む（ステップＳ２０３）。そして、起動部１２ｇは、読み込んだ製造ＩＤの少なくとも一部に対応するＩＤ情報を、複数のＩＤ情報から検索する（ステップＳ２０４）。このように、起動部１２ｇは、携帯電子機器１のリセットが実行された後の電源起動時に製造ＩＤを取得する。
【００７０】
本実施形態では、起動部１２ｇが、図７−１に示すデータテーブル６１を呼び出す。そして、起動部１２ｇは、データテーブル６１に記述される複数の製造ＩＤ群から、ステップＳ２０３で読み込んだ自機器の製造ＩＤが属する製造ＩＤ群を検索し、検索された製造ＩＤ群に対応するＩＤ情報を取得する。例えば、ステップＳ２０３で読み込んだ自機器の製造ＩＤがＫＣ００１８１０５である場合、この製造ＩＤが属する製造ＩＤ群は、ＫＣ００１５００１〜ＫＣ００２００００なので、これに対応するＩＤ情報はＱとなる。
【００７１】
自機器の製造ＩＤに対応するＩＤ情報により、自機器の筐体のデザインが特定される（ステップＳ２０５）。自機器の製造ＩＤがＫＣ００１８１０５である場合、ＩＤ情報はＱなので、テーブル６０に示すＩＤ情報と筐体のデザインとの関係から、自機器の筐体のデザインは、白と黒との塗り分けであると特定できる。
【００７２】
次に、起動部１２ｇは、自機器の筐体のデザインに合う待ち受け画像を、図９−２に示す待ち受け画像管理テーブル７０に追加する（ステップＳ２０６）。ここで、図９−２に示す待ち受け画像管理テーブル７０及びメニュー画像管理テーブル７１を説明する。待ち受け画像管理テーブル７０及びメニュー画像管理テーブル７１は、図４に示す記憶部１３の画像データ保存部１３ｈ内に保存されている。待ち受け画像管理テーブル７０は、待ち受け画像として表示される画像の候補が記述されており、メニュー画像管理テーブル７１は、メニュー画像として表示される画像の候補が記述されている。
【００７３】
待ち受け画像管理テーブル７０及びメニュー画像管理テーブル７１は、それぞれ６個の画像データを保存する領域（画像保存領域）を有している。そして、待ち受け画像管理テーブル７０及びメニュー画像管理テーブル７１には、それぞれ既に５個の画像データが保存されており、１個の空き領域が用意される。より具体的には、待ち受け画像管理テーブル７０及びメニュー画像管理テーブル７１のＮＯ．１からＮＯ．５までの画像保存領域には既に画像データが保存されており、ＮＯ．６の画像保存領域が空き領域ＢＬとなっている。
【００７４】
待ち受け画像管理テーブル７０には、それぞれの画像保存領域に対して、待ち受け画像選択フラグＦ２を記述する領域が設けられる。同様に、メニュー画像管理テーブル７１には、それぞれの画像保存領域に対して、メニュー画像選択フラグＦ３を記述する領域が設けられる。待ち受け画像選択フラグＦ２が１に設定されると、それに対応する画像保存領域に保存されている画像が、自機器の表示部１７に表示される待ち受け画像として設定される。また、メニュー画像選択フラグＦ３が１に設定されると、それに対応する画像保存領域に保存されている画像が、自機器の表示部１７に表示されるメニュー画像として設定される。ここで、待ち受け画像選択フラグＦ２及びメニュー画像選択フラグＦ３ともに、２以上の画像保存領域に対して１に設定されることはない。すなわち、待ち受け画像管理テーブル７０からは１個の待ち受け画像のみが選択され、メニュー画像管理テーブル７１からは１個のメニュー画像のみが選択される。
【００７５】
ステップＳ２０６において、起動部１２ｇが、自機器の筐体のデザインに合う待ち受け画像を待ち受け画像管理テーブル７０に追加する場合、起動部１２ｇは、まず、自機器の筐体のデザインに合う待ち受け画像を図７−２に示すデータテーブル６２から取得する。データテーブル６２は、ＩＤ情報と複数のデザイン情報とがそれぞれ対応付けられているので、起動部１２ｇは、データテーブル６２を呼び出して、ステップＳ２０４で取得したＩＤ情報に対応するデザイン情報、より具体的には待ち受け画像を取得する。例えば、ステップＳ２０４で取得されたＩＤ情報がＱである場合、データテーブル６２から取得される待ち受け画像はパターンＤである。
【００７６】
起動部１２ｇは、ステップＳ２０４で取得されたＩＤ情報に対応する待ち受け画像をデータテーブル６２から取得し、待ち受け画像管理テーブル７０の空き領域（ＮＯ．６で示す領域）に書き込む。これによって、自機器の筐体のデザインに合う待ち受け画像が、待ち受け画像管理テーブル７０に追加される。次に、起動部１２ｇは、ステップＳ２０６で追加した待ち受け画像（本実施形態ではパターンＤ）を選択し、待ち受け画像選択フラグＦ２を１に設定する（ステップＳ２０７）。これによって、携帯電子機器１の待ち受け時には、待ち受け画像選択フラグＦ２＝１の画像が待ち受け画像として、表示部１７に表示される。
【００７７】
次に、起動部１２ｇは、自機器の筐体のデザインに合うメニュー画像を、図９−２に示すメニュー画像管理テーブル７１に追加する（ステップＳ２０８）。この場合、起動部１２ｇは、まず、自機器の筐体のデザインに合うメニュー画像を図７−２に示すデータテーブル６２から取得する。データテーブル６２は、ＩＤ情報と複数のデザイン情報とがそれぞれ対応付けられているので、起動部１２ｇは、データテーブル６２を呼び出して、ステップＳ２０４で取得したＩＤ情報に対応するデザイン情報、より具体的にはメニュー画像を取得する。例えば、ステップＳ２０４で取得されたＩＤ情報がＱである場合、データテーブル６２から取得されるメニュー画像はメニューＢである。
【００７８】
起動部１２ｇは、ステップＳ２０４で取得されたＩＤ情報に対応するメニュー画像をデータテーブル６２から取得し、メニュー画像管理テーブル７１の空き領域（ＮＯ．６で示す領域）に書き込む。これによって、自機器の筐体のデザインに合うメニュー画像が、メニュー画像管理テーブル７１に追加される。次に、起動部１２ｇは、ステップＳ２０８で追加したメニュー画像（本実施形態ではメニューＢ）を選択し、メニュー画像選択フラグＦ３を１に設定する（ステップＳ２０９）。これによって、メニュー使用時においては、メニュー画像選択フラグＦ３＝１の画像が表示部１７に表示される。
【００７９】
待ち受け画像管理テーブル７０に追加された待ち受け画像及びメニュー画像管理テーブル７１に追加されたメニュー画像は、携帯電子機器１がリセットされない限り消去されることはない。このため、ユーザーが初期設定された待ち受け画像やメニュー画像を変更した後、再び初期設定された画像に戻したい場合には、携帯電子機器１をリセットすることなく、簡単な操作で戻すことができる。
【００８０】
ここでは、自機器のリセット後、最初に表示される待ち受け画像及びメニュー画像を設定する手順を説明したが、例えば、文字の書体やサイズ、あるいはメール作成時画像等といった他のデザイン情報についても、上述した待ち受け画像及びメニュー画像の設定手順と同様に設定される。さらに、自機器のリセット後、自機器の筐体のデザインに合わせた発信音や着信音、あるいは文字の変換機能や辞書機能等を設定する場合も、上述した待ち受け画像及びメニュー画像の設定手順と同様である。
【００８１】
待ち受け画像及びメニュー画像等の設定が終了したら、起動部１２ｇは、設定保存部１３ｇに割り当てられるフラグ管理領域に保存される設定完了フラグＦ１を１に書き換える（ステップＳ２１０）。設定完了フラグＦ１が１に書き換えられることにより、起動タスク１３ａは終了する。起動タスク１３ａが終了したら、起動部１２ｇは、主処理部１２ａに完了通知を発行する。完了通知を受けた主処理部１２ａは、携帯電子機器１の起動が完了した後に、携帯電子機器１を待ち受け状態に遷移させる。
【００８２】
待ち受け状態は、携帯電子機器が網側からの着信あるいは呼び出しを待機している状態であり、待ち受け状態のときにメインディスプレイ２Ｍへ待ち受け画像が表示される。待ち受け状態に遷移したら、主処理部１２ａは、画像表示処理部１２ｃに制御を移す。すなわち、主処理部１２ａは、処理部１２及び記憶部１３のハードウェア資源を、画像表示処理部１２ｃに割り当てる。これにより、画像表示処理部１２ｃは、待ち受け画像表示タスク１３ｂを実行する。
【００８３】
画像表示処理部１２ｃが待ち受け画像表示タスク１３ｂを実行することにより、メインディスプレイ２Ｍに待ち受け画像が表示される。このときには、待ち受け画像管理テーブル７０の待ち受け画像選択フラグＦ２＝１の画像がメインディスプレイ２Ｍに表示される（ステップＳ２１２）。本実施形態では、待ち受け画像選択フラグＦ２＝１であるのはパターンＤの画像なので、パターンＤの画像が待ち受け画像としてメインディスプレイ２Ｍに表示される。
【００８４】
待ち受け画像を表示するにあたり、画像表示処理部１２ｃは、ファイルシステム制御部１２ｆに待ち受け画像選出要求を発行する。ファイルシステム制御部１２ｆは、ファイルシステム制御タスク１３ｅを実行して、待ち受け画像として表示する画像、すなわち待ち受け画像選択フラグＦ２＝１であるパターンＤの画像を、記憶部１３の画像データ保存部１３ｈから選出する。そして、ファイルシステム制御部１２ｆは、完了通知を画像表示処理部１２ｃに発行する。その後、画像表示処理部１２ｃは、選出されたパターンＤの待ち受け画像を、画像データ保存部１３ｈから読み出す。
【００８５】
パターンＤの待ち受け画像が読み込まれたら、画像表示処理部１２ｃは、デコード処理部１２ｄにデコード処理要求を発行する。デコード処理部１２ｄは、デコードタスク１３ｃを実行して、読み出されたパターンＤの待ち受け画像をデコードして、ＲＧＢで表現されたビットマップデータに変換する。デコードが完了したら、デコード処理部１２ｄは、完了通知を画像表示処理部１２ｃに発行する。そして、画像表示処理部１２ｃは、表示制御部１２ｅに待ち受け画像表示要求を発行する。表示制御部１２ｅは、表示制御タスク１３ｄを実行して、ビットマップ化されたパターンＤの待ち受け画像をメインディスプレイ２Ｍに表示する。その後、表示制御部１２ｅは、完了通知を画像表示処理部１２ｃに発行して、待ち受け画像の表示が完了する。これによって、表示部１７には、ステップＳ２０４で設定された待ち受け画像、すなわちパターンＤの待ち受け画像が表示される。
【００８６】
次に、ステップＳ２０２へ戻って説明する。起動部１２ｇがＦ１＝１である場合と判定した場合（ステップＳ２０２：Ｙｅｓ）、表示画像設定は完了していると判定できる。この場合、起動タスク１３ａは終了する。起動タスク１３ａが終了したら、起動部１２ｇは、主処理部１２ａに完了通知を発行する。完了通知を受けた主処理部１２ａは、携帯電子機器１の起動が完了した後に、携帯電子機器１を待ち受け状態に遷移させる。
【００８７】
待ち受け状態に遷移したら、主処理部１２ａは、画像表示処理部１２ｃに制御を移す。これにより、画像表示処理部１２ｃは、待ち受け画像表示タスク１３ｂを実行して、待ち受け画像管理テーブル７０を確認する（ステップＳ２１１）。そして、画像表示処理部１２ｃは、待ち受け画像管理テーブル７０の待ち受け画像選択フラグＦ２＝１の画像を表示部１７に表示させる（ステップＳ２１２）。待ち受け画像を表示する手順については上述した通りである。
【００８８】
上記手順により、携帯電子機器１のリセット後、初の電源起動の後に表示部１７へ表示される画像が設定される。なお、ユーザーが待ち受け画像やメニュー画像を変更したい場合、ユーザーが選択した画像に対して待ち受け画像選択フラグＦ２やメニュー画像選択フラグＦ３が設定される。これによって、待ち受け画像選択フラグＦ２＝１の画像やメニュー画像選択フラグＦ３の画像が画像データ保存部１３ｈから読み出され、待ち受け画像やメニュー画像として表示部１７に表示される。
【００８９】
上記説明で例とした、製造ＩＤがＫＣ００１８１０５の携帯電子機器１は、図１０−１に示すように、筐体１Ｃのデザインが白と黒との塗り分けである。この筐体１Ｃのデザインのイメージに対応した待ち受け画像は、例えば、図１０−２のメインディスプレイ２Ｍに表示されるパンダの画像であるとする。従来は、筐体によらず待ち受け画像は共通の設定なので、筐体１Ｃのデザインが白と黒との塗り分けであっても、これに合わない画像、例えば、図１０−３に示すように、ぶたの画像が待ち受け画像としてメインディスプレイ２Ｍに表示されることも起こり得る。
【００９０】
本実施形態に係る画像設定の方法を用いることにより、上述したように、携帯電子機器１を構成する筐体１Ｃのデザインのイメージに合った待ち受け画像、例えば、図１０−２に示す待ち受け画像を表示できる。また、待ち受け画像のみならず、メインディスプレイ２Ｍに表示されるメニュー画像やカメラ操作画像、メール作成画像、メール送受信画像、ブラウザ閲覧時の画像、サブディスプレイ２Ｓに表示される項目の種類や色といった、表示部１７に表示される画像のデザインや、ＬＣＤの明るさ、コントラスト等の設定、操作キー３や方向及び決定キー４の設定等についても、携帯電子機器１を構成する筐体１Ｃのデザインのイメージに合わせることができる。
【００９１】
通常、携帯電子機器１の筐体１Ｃのデザインによって携帯電子機器１を購入するユーザーに偏りが発生する。例えば、筐体１Ｃの色がピンクであったり、形状が丸みを帯びていたりすると、女性が多く購入し、筐体１Ｃの色が寒色系であったり、形状が直線的であったりすると、男性が多く購入する傾向がある。その結果、従来の設計・製造手法では、予め携帯電子機器１に設定した待ち受け画像やメニュー画像、あるいはアニメーション画像等が単一であり、必ずしも筐体１Ｃのデザインに対応したものが最初に表示される訳ではないので、購入したユーザーの嗜好から外れ過ぎてしまうというケースが起こりやすい。
【００９２】
このような場合、購入したユーザーは、携帯電子機器１が備える機能設定メニューや取り扱い説明書により、表示される画像を切り替える作業が必要となる。仮に、携帯電子機器１の扱いに不慣れなユーザーの場合、画像の切り替え作業は困難であることが多く、出荷時に設定された状態のまま携帯電子機器１の使用を継続するという状況も発生し得る。一方、携帯電子機器１のメーカーは、ユーザーからの質問やクレームに対して、携帯電子機器１の機能設定で画像の切り替えができることを知らせることで前記質問やクレームを解決できるが、そのための手間や時間が発生する。
【００９３】
これらを解決するには、携帯電子機器１の筐体１Ｃのデザイン毎に、携帯電子機器１へインストールするソフトウェアを分け、それぞれのデザインにあった待ち受け画像やメニュー画像が表示されるようにするというような製造工程にすれば解決できる。しかし、携帯電子機器１へインストールするソフトウェアを複数に分けること自体が生産効率を低下させ、また間違いを発生しやすいシステムであるため、危険性が高い。
【００９４】
例えば、携帯電子機器１の製造工程において、黒の筐体１Ｃを持つ携帯電子機器１に、誤ってピンク用のソフトウェアをインストールしてしまうおそれがある。この場合、筐体１Ｃの色のイメージに合わない待ち受け画像やメニュー画像が表示されてしまう。また、ソフトウェアのバグを修正したので、修正したソフトウェアを携帯電子機器１へダウンロードする必要が生じた場合、ソフトウェアの開発部門においては、ある筐体１Ｃのデザインに対応したソフトウェアについての修正が漏れてしまうおそれがある。これは、携帯電子機器１へインストールするソフトウェアが複数に分かれているが故に発生するヒューマンエラーである。
【００９５】
本実施形態では、携帯電子機器１を構成する筐体１Ｃのデザインを判別する手段として、携帯電子機器１の固有の識別標識である製造ＩＤを用いる。これによって、携帯電子機器１が備える筐体１Ｃのデザインを判別して、待ち受け画像やメニュー画像等のデザイン、着信音や発信音等の音声、文字変換機能や辞書機能の設定等を、筐体１Ｃのデザインに合わせることができる。
【００９６】
これによって、携帯電子機器１の表示部１７に表示される画像のデザイン開発において、初期状態として一つの画像を選択しなくてはならないという制限がある場合でも、それぞれの筐体１Ｃのデザインイメージにあったデザインの画像を初期設定情報として、予め携帯電子機器１に設定できる。その結果、携帯電子機器１は、筐体１Ｃのデザインのイメージと画像（待ち受け画像やメニュー画像等）のイメージとのずれを低減できる。そして、携帯電子機器１の開発者としては、筐体１Ｃのデザインのイメージに合った待ち受け画像やメニュー画像等を表示させたり、筐体１Ｃのデザインのイメージに合った携帯電子機器１の機能を設定したりすることができる利点がある。
【００９７】
また、携帯電子機器１を企画したり開発したりする者にとっては、携帯電子機器１の筐体１Ｃのデザイン毎にインストールするソフトウェアを分けて用意する必要はない。すなわち、デザイン情報（表示部１７に表示される画像）を記憶部１３に保存するとともに、携帯電子機器１の製造ＩＤとデザイン情報との対応関係を特定しておくことにより、携帯電子機器１へインストールするソフトウェアは１種類で済む。また、ソフトウェアのインストールも同一の工程で済む。その結果、携帯電子機器１の筐体１Ｃのデザインを複数設定し、筐体１Ｃのバリエーションを多数展開する場合でも、簡単な構成で、携帯電子機器１の製造コストの増加を大幅に抑制できる。
【００９８】
また、上述したように、携帯電子機器１へインストールするソフトウェアは１種類で済む。このため、本実施形態では、簡単な構成で、携帯電子機器１へインストールされるソフトウェアを複数用意することによる危険を回避しつつ、筐体１Ｃのデザイン毎に、それぞれ個別に企画者や開発者が意図した通りのラインナップを確立できるという利点もある。また、開発段階において初期設定情報を最適化することにより、ユーザーの嗜好から外れ過ぎてしまうというケースを低減させることができる。
【００９９】
また、携帯電子機器１の販売会社としては、筐体１Ｃのデザインが異なる携帯電子機器１毎に、異なる待ち受け画像やメニュー画像等を提示できる。このため、ユーザーの傾向に応じたサービスが展開し易くなり、その結果、販売会社としてユーザーに使ってもらいたいサービスをより訴求できるという利点がある。さらに、携帯電子機器１を購入したユーザーは、筐体１Ｃのデザインと表示部１７に表示される画像のデザインとが統一された携帯電子機器１を手にすることができる。そして、筐体１Ｃのデザインのイメージに合ったデザインの待ち受け画像やメニュー画像が初期設定されているので、これらを予め設定しなおす手間が省けるという利点がある。
【０１００】
また、本実施形態では、製造ＩＤとデザイン情報との対応関係が設定された後に、その設定を記憶部１３に保存する。具体的には、携帯電子機器１の筐体１Ｃのデザインに合った待ち受け画像やメニュー画像に対して、待ち受け画像選択フラグＦ２やメニュー画像選択フラグＦ３を１にして、記憶部１３に保存する。これによって、携帯電子機器１の電源起動が発生する度に製造ＩＤを読み込んだり、ＩＤ情報を検索したりする必要がなくなる。その結果、電源起動に要する時間が長くなることを回避できる。そして、折り畳み式の筐体においては、筐体を開状態に遷移させる度に、製造ＩＤを読み込んだり、ＩＤ情報を検索したりする必要がなくなる。その結果、待ち受け画像を表示させるときに要する時間が長くなることを回避できる。
【０１０１】
上記手順では、携帯電子機器１が工場から出荷されて初めて電源が投入された場合を説明したが、携帯電子機器１の修理等によって携帯電子機器１をリセットした場合も、同様である。この場合も、本実施形態によれば、携帯電子機器１の製造ＩＤを用いて、携帯電子機器１を構成する筐体１Ｃのデザインを判別して、待ち受け画像やメニュー画像等の表示、着信音、発信音等の音声、文字変換機能や辞書機能の設定等を、筐体１Ｃのデザインに合わせることができる。
【０１０２】
（実施形態２）
図１１は、携帯電子機器に付される製造ＩＤの一例を示す図である。図１２は、製造ＩＤの一部と、ＩＤ情報と、デザイン情報との関係を示すテーブルである。本実施形態は、携帯電子機器において、複数のＩＤ情報と、それぞれ画像情報を有する複数のデザイン情報とをそれぞれ対応付けておき、自装置の製造ＩＤの少なくとも一部に対応するＩＤ情報を複数のＩＤ情報から検索し、検索されたＩＤ情報に対応するデザイン情報が、表示部に表示される所定の画像として設定される。そして、本実施形態は、文字列を含んで構成された製造ＩＤの一部に、携帯電子機器の筐体のデザインを一義的に示す情報が含まれるとともに、表示部に表示される所定の画像を設定する際には、文字列の一部と一致するＩＤ情報を、複数のＩＤ情報から検索する点に特徴がある。
【０１０３】
図１１に示すように、本実施形態において、携帯電子機器の製造ＩＤは、３桁の文字列と７桁の数列とで表現される。このうち、７桁の数列が携帯電子機器の製造順に付される、それぞれの携帯電子機器に固有の番号、すなわち製造番号である。また、本実施形態においては、上位１桁目から順にＫＣＫで構成される文字列の一部に、図１から図３に示す携帯電子機器の筐体のデザインを一義的に示す情報（以下、筐体デザイン情報という）が含まれる。より具体的には、前記文字列の上から３桁目に、筐体デザイン情報が記述される。筐体デザイン情報は、携帯電子機器の筐体のデザインと１対１で対応付けられているので、筐体デザイン情報により、携帯電子機器の筐体のデザインが一義的に決定される。本実施形態においては、筐体デザイン情報が筐体の色を一義的に示すものなので、製造ＩＤに含まれる文字列の一部は、携帯電子機器の筐体の色を一義的に示す情報となる。
【０１０４】
このように、本実施形態では、製造ＩＤの少なくとも一部、より具体的には、製造ＩＤを構成する文字列に、携帯電子機器の筐体デザイン情報を含ませる。すなわち、本実施形態においては、筐体デザイン情報が製造ＩＤに含まれて、製造番号とともに製造ＩＤを構成する。本実施形態において、筐体デザイン情報は、自機器と他の携帯電子機器とを区別する製造番号とは別の桁に記述されるので、筐体デザイン情報と製造番号とは無関係になる。
【０１０５】
図１２のデータテーブル６４に示すように、本実施形態では、ＩＤ情報と、デザイン情報とが対応付けられている。なお、デザイン情報の内容、及びＩＤ情報とデザイン情報との対応関係は、図７−２に示すデータテーブル６２、図７−３に示すデータテーブル６３に記述したものと同じである。
【０１０６】
データテーブル６４は、図４に示す記憶部１３のデータテーブル保存部１３ｉに保存されている。設定完了フラグＦ１＝１でない場合（図９−１のステップＳ２０２：Ｎｏ）、携帯電子機器１は、リセット後、初の電源起動であり、表示画像設定は未了であると判定できる。この場合、上述したように、図４に示す主処理部１２ａが起動部１２ｇに制御を移し、起動部１２ｇが起動タスク１３ａを実行する。起動部１２ｇは、記憶部１３の製造ＩＤ保存部１３ｆから、自機器の製造ＩＤを読み込む（図９−１のステップＳ２０３）。
【０１０７】
そして、起動部１２ｇは、読み込んだ製造ＩＤの少なくとも一部、すなわち、筐体デザイン情報に対応するＩＤ情報を、複数のＩＤ情報から検索する（図９−１のステップＳ２０４）。このため、ステップＳ２０４において、起動部１２ｇは、読み込んだ製造ＩＤに含まれる筐体デザイン情報を取得する。そして、起動部１２ｇは、図１２に示すデータテーブル６４を呼び出して、データテーブル６４に記述される複数のＩＤ情報から、取得した筐体デザイン情報と一致するＩＤ情報を検索する。例えば、図１１に示す製造ＩＤはＫＣＫ００００００１なので、ＫＣＫからなる文字列の下１桁に記述される筐体デザイン情報と一致するＩＤ情報はＫとなる。このようにして検索されたＩＤ情報は、自機器の製造ＩＤに対応する。
【０１０８】
自機器の製造ＩＤに対応するＩＤ情報により、自機器の筐体のデザインが特定される（図９のステップＳ２０５）。図１１に示す製造ＩＤのＫＣＫ００００００１が自機器の製造ＩＤである場合、ＩＤ情報はＫなので、データテーブル６４に示すＩＤ情報と筐体のデザインとの関係から、自機器の筐体のデザイン（色）は黒であると特定できる。自機器の筐体のデザインが特定された以降の手順は実施形態１と同様である。
【０１０９】
ここで、データテーブル６４は、図４に示す記憶部１３のデータテーブル保存部１３ｉに保存されている。そして、初期設定時に処理部１２がデータテーブル保存部１３ｉに保存されているデータテーブル６４を参照する。また、データテーブル６４を、例えば、起動タスク１３ａあるいは起動タスク１３ａを含むアプリケーションソフトウェア内に記述しておいてもよい。いずれの態様でも、携帯電子機器１の製造ＩＤの少なくとも一部と、携帯電子機器１の初期設定情報とを対応付けた情報は、記憶部１３に保存される。
【０１１０】
本実施形態では、実施形態１と同様に、携帯電子機器１が備える筐体１Ｃのデザインを判別する手段として、携帯電子機器１の固有の識別標識である製造ＩＤを用いる。これによって、携帯電子機器１を構成する筐体１Ｃのデザインを判別して、待ち受け画像やメニュー画像等、着信音、発信音等の音声、文字変換機能や辞書の機能等を、筐体１Ｃのデザインに合わせることができる。
【０１１１】
これによって、画面のデザイン開発において、初期設定を一つ選択しなくてはならないという制限がある場合でも、それぞれの筐体のデザインイメージに合ったデザインの画像が表示されるように、予め携帯電子機器１に設定できる。その結果、自機器の表示部１７に表示される画像は、筐体のデザインのイメージとのずれが低減される。
【０１１２】
また、例えば、実施形態１で説明した例において、携帯電子機器の製造台数が２００００台であり、筐体の色が黒、白、ピンク、白と黒との塗り分けのものをそれぞれ５０００台ずつ製造したとする。筐体の色が黒の携帯電子機器を５０００台追加し、筐体の色が白の携帯電子機器を２５００台追加して製造する場合、ＫＣ００２０００１〜ＫＣ００２５０００（第５製造ＩＤ群）を筐体の色が黒の携帯電子機器とし、ＫＣ００２５００１〜ＫＣ００２７５００（第６製造ＩＤ群）を筐体の色が白の携帯電子機器とする。
【０１１３】
実施形態１では、異なる製造ＩＤ群と、異なるデザイン情報とがそれぞれ対応付けられている。第５製造ＩＤ群及び第６製造ＩＤ群は、携帯電子機器の総製造台数が２００００台であることを前提として作成された図７−１に示すデータテーブル６１及び図７−２に示すデータテーブル６２や、起動タスク１３ａには含まれない。したがって、実施形態１においては、携帯電子機器の追加製造が決定されると、携帯電子機器を追加製造する場合には、データテーブル６１、６２を新たに作り直すか、起動タスク１３ａを新たに作り直す必要がある。このように、実施形態１では、携帯電子機器の追加製造に対して柔軟に対応できないおそれがある。
【０１１４】
本実施形態では、携帯電子機器１の製造ＩＤに、製造番号とは無関係になるように筐体デザイン情報を含ませる。そして、この筐体デザイン情報を用いて、自機器の筐体１Ｃのデザインを判別し、対応する待ち受け画像やメニュー画像等を設定する。このため、携帯電子機器が追加製造され、製造番号が増加しても、その携帯電子機器の製造ＩＤに含まれる筐体デザイン情報を参照すれば、その携帯電子機器の筐体のデザインを判別できる。これによって、本実施形態のように、携帯電子機器の製造ＩＤに含まれる筐体デザイン情報と、ＩＤ情報と、デザイン情報とを対応付けておけば、データテーブルや起動タスク１３ａを新たに作り直す必要はない。その結果、本実施形態は、実施形態１で奏される効果の他に、携帯電子機器１の追加製造に対して柔軟に対応できるという効果が得られる。
【０１１５】
（実施形態３）
図１３−１、図１３−２は、携帯電子機器の筐体を示す図である。図１４は、携帯電子機器の製造ＩＤと、ＩＤ情報と、デザイン情報との関係を示すテーブルである。図１３−１に示す携帯電子機器１と図１３−２に示す携帯電子機器１ａとは、同じ基板を用いた同じ仕様のものであるが、携帯電子機器１の筐体１Ｃと携帯電子機器１ａの筐体１Ｃａとでは形状が異なる。すなわち、筐体１Ｃは角張っているのに対し、筐体１Ｃａは丸みを帯びている。このように、携帯電子機器の筐体の色のみならず、形状が異なる場合でも、実施形態１、２で説明したように、携帯電子機器１を構成する筐体１Ｃのデザインを判別する手段として、携帯電子機器１の固有の識別標識である製造ＩＤを用いることで、筐体の色のみならず、筐体の色及び形状に合わせた画像デザインを設定できる。
【０１１６】
本実施形態においては、筐体の形状が２種類と、筐体の色が３種類（黒、白、ピンク）の計６種類の組み合わせに対して、それぞれＩＤ情報とデザイン情報とを対応付ける。図１３−１に示す筐体１Ｃの形状を示すＩＤ情報をＡ、図１３−２に示す筐体１Ｃａの形状を示すＩＤ情報をＢとし、黒を示すＩＤ情報をＫ、白を示すＩＤ情報をＷ、ピンクを示すＩＤ情報をＰとする。製造ＩＤに筐体デザイン情報を含ませる場合、４桁の文字列と７桁の数列とで表される携帯電子機器１、１ａの製造ＩＤのうち、文字列の下１桁が筐体１Ｃ、１Ｃａの色を表し、文字列の下から２桁目が筐体１Ｃ、１Ｃａの形状を表す。
【０１１７】
図１４に示すテーブル６５は、ＩＤ情報ＡＫ、ＡＷ、ＡＰ、ＢＫ、ＢＷ、ＢＰそれぞれについて、画像情報を有するデザイン情報が対応付けられている。テーブル６５に示すように、製造ＩＤの少なくとも一部とデザイン情報とは、携帯電子機器の筐体のデザインに基づいて対応付けられている。したがって、テーブル６５に記述された、ＩＤ情報とデザイン情報との関係を用いて、携帯電子機器の製造ＩＤから、待ち受け画像やメニュー画像等のデザインを、筐体１Ｃ、１Ｃａのデザインに合わせることができる。なお、ＩＤ情報には、携帯電子機器の筐体の模様を示す情報を加えてもよい。また、携帯電子機器の製造ＩＤから、着信音や発信音等の音声、文字変換機能や辞書機能等を、筐体のデザインに合わせてもよい。
【０１１８】
（実施形態４）
図１５は、ＩＤ情報と、待ち受け画像の構成要素との関係を示すデータテーブルである。図１６は、実施形態４において、携帯電子機器の待ち受け画像を表示する手順を示す流れ図である。図１７−１、図１７−２は、携帯電子機器の表示部に待ち受け画像が表示された状態を示す説明図である。実施形態４は、携帯電子機器が備える筐体のデザインを判別する手段として、携帯電子機器の固有の識別標識である製造ＩＤを用いる。そして、実施形態４は、製造ＩＤによって携帯電子機器が備える筐体のデザインを判別して、携帯電子機器の筐体のデザインに合わせて、複数の画像とその処理方法とをパッケージしたデータファイルを用いて生成された画像を表示するものである。本実施形態では、所定のイベント、例えば携帯電子機器が待ち受け状態であることが発生すると、記憶部から製造ＩＤを取得して、取得した製造ＩＤに基づいた画像を表示させる。
【０１１９】
複数の画像とその処理方法とをパッケージしたデータファイルとして、本実施形態ではＦｌａｓｈを例とする。ここで、Ｆｌａｓｈは、図４に示す携帯電子機器１の表示部１７に表示される画像の背景について指定する背景情報と、前記背景上に表示する表示オブジェクトを指定するオブジェクト情報と、前記表示オブジェクトの動作について制定する動作情報とを含んで構成されるデータファイルであり、図形はベクター形式で管理される。なお、複数の画像とその処理方法とをパッケージしたデータファイルとしては、例えば、Ｊａｖａ（登録商標、以下同様）等で記述されたデータファイルであってもよい。
【０１２０】
複数の画像とその処理方法とをパッケージしたデータファイル（画像パッケージファイルという）を用いる場合、画像パッケージファイルのデータサイズが明確になる。このため、携帯電子機器１の設計時に、画像パッケージファイルのデータサイズに制限を加える等しておけば、処理部１２を構成するＭＰＵのリソースの範囲内で快適に動作できる。その結果、携帯電子機器１のユーザーに対して表示が遅い等の不快感を与えることが少なくなる。
【０１２１】
また、画像パッケージファイルのデータサイズに制限を加えておくとともに、内蔵される複数の画像パッケージファイルのサイズをそれぞれ同程度にしておけば、同じハードウェアの仕様の携帯電子機器間において異なる画像パッケージファイルを選択し、実行するようにした場合でも、同程度の処理速度となる。これによって、ハードウェアの仕様が同じであれば、携帯電子機器間において処理速度の差はほとんど発生しなくなるので、同じハードウェアの仕様の携帯電子機器間における処理速度の違和感を低減できる。その結果、ハードウェアの仕様が同じであれば、携帯電子機器間において画面上の見た目を異ならせたにも関わらず、処理速度の差はほとんど発生しなくなるので、同じハードウェアの仕様の携帯電子機器間における処理速度の違和感を低減できる。なお、画像パッケージファイルに格納された画像データを処理する画像生成ソフトウェアを画像パッケージファイルに加える場合、画像生成ソフトウェアは同じハードウェアの仕様の携帯電子機器間で共通化しておくことが好ましい。
【０１２２】
本実施形態では、例えば、図１３−１に示す携帯電子機器１の筐体１Ｃ、及び図１３−２に示す携帯電子機器１ａの筐体１Ｃａに対して、表示部１７に表示される所定の画像（例えば、待ち受け画像やスクリーンセーバー）の背景色や表示オブジェクトの形状を、筐体１Ｃ、１Ｃａの色や形状に合わせたものとする。本実施形態では、図１３−１、図１３−２に示す携帯電子機器１、１ａにおいて、筐体の形状が２種類と、筐体の色が３種類（青、赤、黄）の計６種類の組み合わせに対して、それぞれ待ち受け画像を設定する。
【０１２３】
本実施形態において、データテーブル６６に示すように、ＩＤ情報は２桁の文字列で表現し、下１桁が筐体の色を表し、上１桁が筐体の形状を表すものとする。図１３−１に示す筐体１Ｃの形状を示すＩＤ情報をＡ、図１３−２に示す筐体１Ｃａの形状を示すＩＤ情報をＢとし、青を示すＩＤ情報をＣ、赤を示すＩＤ情報をＭ、黄色を示すＩＤ情報をＹとする。データテーブル６６には、それぞれのＩＤ情報に対して、待ち受け画像を構成する背景の色、背景上に表示される表示オブジェクトの形状、表示オブジェクトの動かし方が設定される。なお、データテーブル６６は、図４に示す記憶部１３のデータテーブル保存部１３ｉに保存される。
【０１２４】
待ち受け画像は、所定のイベントが発生したときに表示部１７に表示される。所定のイベントとは、例えば、携帯電子機器が受信を待ち受けている状態、すなわち待ち受け状態が発生したときである。例えば、図４に示す処理部１２の画像表示処理部１２ｃが、筐体開閉検知部１２ｂによって携帯電子機器の筐体の状態が開状態になること、あるいは閉状態が解除されたことのいずれかを検知した場合に待ち受け状態であると判断できる。携帯電子機器が待ち受け状態でない場合（ステップＳ３０１：Ｎｏ）、待ち受け画像は表示されない。
【０１２５】
携帯電子機器が待ち受け状態となった場合（ステップＳ３０１：Ｙｅｓ）、待ち受け画像を表示部１７に表示させることができる状態になる。この場合、画像表示処理部１２ｃは、待ち受け画像表示タスク１３ｂを実行し、ファイルシステム制御部１２ｆに待ち受け画像選出要求を発行する。ファイルシステム制御部１２ｆは、ファイルシステム制御タスク１３ｅを実行して、待ち受け画像として表示する画像を生成できる画像パッケージファイルを、記憶部１３の画像データ保存部１３ｈから選出する。
【０１２６】
本実施形態では、自機器の製造ＩＤに基づき、画像パッケージファイルを特定し、特定された画像パッケージファイルにより生成される画像を、自機器の表示部に表示させる所定の画像として設定する。このため、ファイルシステム制御部１２ｆは、記憶部１３の製造ＩＤ保存部１３ｆから、自機器の製造ＩＤを読み込む（ステップＳ３０２）。次に、ファイルシステム制御部１２ｆは、読み込んだ製造ＩＤの少なくとも一部、すなわち、筐体デザイン情報に対応するＩＤ情報を、複数のＩＤ情報から検索する（ステップＳ３０３）。このため、ステップＳ２０４において、ファイルシステム制御部１２ｆは、読み込んだ製造ＩＤに含まれる筐体デザイン情報を取得する。そして、ファイルシステム制御部１２ｆは、図１５に示すデータテーブル６６を呼び出して、データテーブル６６に記述される複数のＩＤ情報から、取得した筐体デザイン情報と一致するＩＤ情報を検索する。例えば、製造ＩＤがＫＣＡＣ００００００１である場合、筐体デザイン情報は、ＫＣＡＣからなる文字列の下１桁及び下から２桁目に記述される。このため、筐体デザイン情報と一致するＩＤ情報はＡＣとなる。このようにして検索されたＩＤ情報は、自機器の製造ＩＤに対応する。
【０１２７】
自機器の製造ＩＤに対応するＩＤ情報により、自機器の筐体のデザインが特定される（ステップＳ３０４）。自機器の製造ＩＤがＫＣＡＣ００００００１である場合、ＩＤ情報はＡＣなので、データテーブル６６に示すＩＤ情報と筐体のデザインとの関係から、自機器の筐体は、形状が角張っており、色が青のデザインであると特定できる。
【０１２８】
ファイルシステム制御部１２ｆは、ステップＳ３０３で取得されたＩＤ情報に対応する待ち受け画像を生成できる画像パッケージファイルを、図１５のデータテーブル６６から取得し、例えば、図９−２に示す待ち受け画像管理テーブル７０の空き領域（例えば、ＮＯ．６で示す領域）に書き込む。これによって、自機器の筐体のデザインに合う待ち受け画像が、待ち受け画像管理テーブル７０に追加される（ステップＳ３０５）。次に、ファイルシステム制御部１２ｆは、ステップＳ３０５で追加した画像パッケージファイルＦＬ１を選択し、待ち受け画像選択フラグＦ２を１に設定する（ステップＳ３０６）。
【０１２９】
これによって、待ち受け画像として表示する画像を生成できる画像パッケージファイルＦＬ１が、ファイルシステム制御部１２ｆによって選出される。画像パッケージファイルＦＬ１が選出されたら、ファイルシステム制御タスク１３ｅは終了する。ファイルシステム制御タスク１３ｅが終了したら、ファイルシステム制御部１２ｆは、主処理部１２ａに完了通知を発行する。画像表示処理部１２ｃは、ファイルシステム制御部１２ｆにより選出された画像パッケージファイル、すなわち、図９−２に示す待ち受け画像管理テーブル７０で待ち受け画像選択フラグＦ２が１に設定されている画像パッケージファイルＦＬ１を、画像データ保存部１３ｈから読み出す（ステップＳ３０７）。
【０１３０】
次に、画像表示処理部１２ｃは、読み出された画像パッケージファイルＦＬ１に記述された命令を実行して、待ち受け画像を生成する。本実施形態では、自機器の筐体のデザインに合わせた待ち受け画像を予め設定してある。例えば、ＩＤ情報がＡＣである場合、筐体の形状は図１３−１に示すような角張った形状で、筐体の色は青である。したがって、待ち受け画像の背景色は青に、表示対象の形状は四角形に、表示対象の動かし方はパターンＭ１に設定される。また、ＩＤ情報がＢＭである場合、筐体の形状は図１３−２に示すような丸みを帯びた形状で、筐体の色は赤である。したがって、待ち受け画像の背景色は赤に、表示対象の形状は丸形に、表示対象の動かし方はパターンＭ２に設定される。ここで、パターンＭ１は、表示対象を直線状に動かす動かし方であり、パターンＭ２は、表示対象を曲線状に動かす動かし方である。これによって、自機器の筐体のデザインに合わせた背景色、表示オブジェクトの形状及び表示オブジェクトの動作の待ち受け画像を生成できる。
【０１３１】
画像表示処理部１２ｃが待ち受け画像を生成したら、画像表示処理部１２ｃは、デコード処理部１２ｄにデコード処理要求を発行する。デコード処理部１２ｄは、デコードタスク１３ｃを実行して、生成された待ち受け画像をデコードして、ＲＧＢで表現されたビットマップデータに変換する（ステップＳ３０８）。デコードが完了したら、デコード処理部１２ｄは、完了通知を画像表示処理部１２ｃに発行する。そして、画像表示処理部１２ｃは、表示制御部１２ｅに待ち受け画像表示要求を発行する。表示制御部１２ｅは、表示制御タスク１３ｄを実行して、ビットマップ化されたパターンの待ち受け画像をメインディスプレイ２Ｍに表示する（ステップＳ３０９）。その後、表示制御部１２ｅは、完了通知を画像表示処理部１２ｃに発行して、待ち受け画像の表示が完了する。
【０１３２】
これによって、角張ったデザインの筐体１Ｃを持つ携帯電子機器１（図１３−１参照）の表示部１７（メインディスプレイ２Ｍ）には、図１７−１に示すように、四角形の表示対象ＯＪ１をパターンＭ１（直線状に動かす）で動かす待ち受け画像が表示される。また、丸みを帯びたデザインの筐体１Ｃａを持つ携帯電子機器１ａ（図１３−２参照）の表示部１７（メインディスプレイ２Ｍ）には、図１７−２に示すように、丸形の表示対象ＯＪ２をパターンＭ２（曲線状に動かす）で動かす待ち受け画像が表示される。さらに、待ち受け画像の背景色は、それぞれの筐体１Ｃ、１Ｃａの色に合わせた色となる。このように、本実施形態は、携帯電子機器１、１ａの筐体１Ｃ、１Ｃａのデザインのイメージに合った画像（待ち受け画像）のデザインを表示部（メインディスプレイ２Ｍ）に表示させることができる。
【０１３３】
本実施形態では、携帯電子機器が備える筐体のデザインを判別する手段として、携帯電子機器の固有の識別標識である製造ＩＤを用いる。そして、携帯電子機器を構成する筐体の色や形状を判別し、対応する画像を携帯電子機器の表示部に表示される待ち受け画像に設定する。これによって、筐体の色や形状に合わせた待ち受け画像を表示させることができる。
【産業上の利用可能性】
【０１３４】
以上のように、本発明に係る携帯電子機器は、携帯電子機器の筐体のデザインに合わせた画像を設定することに有用である。
【図面の簡単な説明】
【０１３５】
【図１】実施形態１に係る携帯電子機器の正面図である。
【図２】実施形態１に係る携帯電子機器の側面図である。
【図３】実施形態１に係る携帯電子機器を閉じた状態を示す図である。
【図４】実施形態１に係る携帯電子機器の機能を説明するブロック図である。
【図５】携帯電子機器に付される製造ＩＤの一例を示す図である。
【図６】携帯電子機器の製造ＩＤと、ＩＤ情報と、携帯電子機器の初期設定情報との関係を示すテーブルである。
【図７−１】製造ＩＤとＩＤ情報との対応関係が記述されたデータテーブルを示す模式図である。
【図７−２】ＩＤ情報とデザイン情報との対応関係が記述されたデータテーブルを示す模式図である。
【図７−３】携帯電子機器の製造ＩＤとデザイン情報との対応関係が記述されたデータテーブルを示す模式図である。
【図８】携帯電子機器の設計、製造段階での工程を示す流れ図である。
【図９−１】実施形態１において、所定の画像を設定する手順を示す流れ図である。
【図９−２】記憶部に保存される待ち受け画像管理テーブルやメニュー画像管理テーブル等を示す模式図である。
【図１０−１】携帯電子機器が備える筐体のデザインの一例を示す全体図である。
【図１０−２】携帯電子機器の表示部に表示される待ち受け画像の一例を示す模式図である。
【図１０−３】携帯電子機器の表示部に表示される待ち受け画像の一例を示す模式図である。
【図１１】携帯電子機器に付される製造ＩＤの一例を示す図である。
【図１２】製造ＩＤの一部と、ＩＤ情報と、デザイン情報との関係を示すテーブルである。
【図１３−１】携帯電子機器の筐体を示す図である。
【図１３−２】携帯電子機器の筐体を示す図である。
【図１４】携帯電子機器の製造ＩＤと、ＩＤ情報と、デザイン情報との関係を示すテーブルである。
【図１５】ＩＤ情報と、待ち受け画像の構成要素との関係を示すデータテーブルである。
【図１６】実施形態４において、携帯電子機器の待ち受け画像を表示する手順を示す流れ図である。
【図１７−１】携帯電子機器の表示部に待ち受け画像が表示された状態を示す説明図である。
【図１７−２】携帯電子機器の表示部に待ち受け画像が表示された状態を示す説明図である。
【符号の説明】
【０１３６】
１、１ａ…携帯電子機器、１Ｃ、１Ｃａ…筐体、１ＣＡ…第１筐体、１ＣＢ…第２筐体、２Ｍ…メインディスプレイ、２Ｓ…サブディスプレイ、３…操作キー、４…方向及び決定キー、５…マイク、６…スピーカ、７…アンテナ、８…通信用端子、９…ヒンジ、１１…通信部、１２…処理部、１２ａ…主処理部、１２ｂ…筐体開閉検知部、１２ｃ…画像表示処理部、１２ｄ…デコード処理部、１２ｅ…表示制御部、１２ｆ…ファイルシステム制御部、１２ｇ…起動部、１３…記憶部、１３ａ…起動タスク、１３ｂ…待ち受け画像表示タスク、１３ｃ…デコードタスク、１３ｄ…表示制御タスク、１３ｅ…ファイルシステム制御タスク、１３ｆ…製造ＩＤ保存部、１３ｇ…設定保存部、１３ｈ…画像データ保存部、１３ｉ…データテーブル保存部、１４…音声処理部、１７…表示部、１８…操作部、６０、６５…テーブル、６１、６２、６３、６４、６６…データテーブル
【図１】
2010087605.tif 000003
【図２】
2010087605.tif 000004
【図３】
2010087605.tif 000005
【図４】
2010087605.tif 000006
【図５】
2010087605.tif 000007
【図６】
2010087605.tif 000008
【図７−１】
2010087605.tif 000009
【図７−２】
2010087605.tif 000010
【図７−３】
2010087605.tif 000011
【図８】
2010087605.tif 000012
【図９−１】
2010087605.tif 000013
【図９−２】
2010087605.tif 000014
【図１０−１】
2010087605.tif 000015
【図１０−２】
2010087605.tif 000016
【図１０−３】
2010087605.tif 000017
【図１１】
2010087605.tif 000018
【図１２】
2010087605.tif 000019
【図１３−１】
2010087605.tif 000020
【図１３−２】
2010087605.tif 000021
【図１４】
2010087605.tif 000022
【図１５】
2010087605.tif 000023
【図１６】
2010087605.tif 000024
【図１７−１】
2010087605.tif 000025
【図１７−２】
2010087605.tif 000026